(57)【要約】      （修正有）【課題】薄型サイドパネルを短時間で手軽に交換できる間仕切りパネルを提供する。【解決手段】矩形フレーム２０と両側の薄型サイドパネル３０とから構成される間仕切りパネルにおいて、矩形フレームの縦桟２１、上桟２２及び下桟２３には縦桟、上桟及び下桟の幅でパネル取付け面が設けられており、パネル取付け面の幅方向外縁には雌雄の面ファスナーの一方４０が連続又は不連続に固着されるとともに、薄型サイドパネルの裏面には矩形フレーム側の雌雄の面ファスナーの一方に対応する形状に雌雄の面ファスナーの他方４１が固着され、矩形フレーム又は薄型サイドパネルの少なくとも一方の雌雄の面ファスナーは狭幅に設定されることによって、薄型サイドパネルは締着状態を維持し得る必要最小強さで矩形フレームに締着される。【選択図】図１
0003226253.tif 000002
【実用新案登録請求の範囲】
【請求項１】
矩形フレームと両側の薄型サイドパネルとから構成される間仕切りパネルにおいて、
上記矩形フレームは左右の縦桟の上端の間及び下端の間を上桟及び下桟で連結するとともに、上記左右の縦桟の中間部位を複数の横桟で多段に連結して構成され、
該矩形フレームの縦桟、上桟及び下桟には縦桟、上桟及び下桟の幅でパネル取付け面が設けられており、該パネル取付け面の幅方向外縁には雌雄の面ファスナーの一方が連続又は不連続に固着されるとともに、
上記薄型サイドパネルの裏面には上記矩形フレーム側の雌雄の面ファスナーの一方に対応する形状に雌雄の面ファスナーの他方が固着され、
上記矩形フレーム及び上記薄型サイドパネルの雌雄の面ファスナーが相互に締着されることによって上記薄型サイドパネルが上記矩形フレームに着脱可能に取付けられ、
上記矩形フレーム又は薄型サイドパネルの少なくとも一方の雌雄の面ファスナーは狭幅に設定されることによって、上記薄型サイドパネルは締着状態を維持し得る必要最小強さで上記矩形フレームに締着されていることを特徴とする間仕切りパネル。
【請求項２】
上記狭幅の雌雄の面ファスナーは上記矩形フレームの取付け面の幅の１／８〜１／４の寸法である請求項１記載の間仕切りパネル。
【請求項３】
上記薄型サイドパネルは補助パネルが用いられることによって必要な高さに設定されている請求項１記載の間仕切りパネル。
【考案の詳細な説明】
【技術分野】
【０００１】
この考案は矩形フレームと薄型サイドパネルとから構成される間仕切りパネルに関し、特に間仕切りパネルの設置現場において薄型サイドパネルを短時間で簡単に交換できるようにした間仕切りパネルに関する。
【背景技術】
【０００２】
見本市会場や展示会場などの各種イベント会場では合板などの表面を塗装し織布や装飾紙を貼り付けた間仕切りパネルを多数使用し、釘などを用いてブースを設営することが行われているが、使用後には間仕切りパネルはそのまま廃棄されることが多かった。
【０００３】
これに対し、表面を塗装し織布や装飾紙を貼り付けた矩形状の２枚の薄型パネルを間隔をあけて重ね、その四周縁に断面凹状の金属部材を嵌め込んで金具などで固定することによって間仕切りパネルを製作し、間仕切りパネルの凹部に両面粘着テープ又は面ファスナーを固着し、複数枚の間仕切りパネルを支柱の突状部に嵌め合せて接続し、又間仕切りパネルの上端面及び下端面に断面コ字状の桟を嵌め込んで見栄えを向上させるとともに間仕切りパネルを補強してブースを設営し、簡単に組立て分解できるようにしたブース構造が提案されている（特許文献１）。
【０００４】
しかし、特許文献１記載の間仕切りパネルでは両面粘着テープや面ファスナーで間仕切りパネルと支柱とを固定し、その上端面及び下端面に断面コ字状の上桟と下桟に嵌め込んで起立状態に保持するようにしているので、間仕切りパネルに衝撃が加わって上桟や下桟から間仕切りパネルが抜けると、間仕切りパネルが倒れるおそれがあった。
【０００５】
また、間仕切りパネルの側面凹部を支柱に形成した突状部に嵌め合せているので、継ぎ部で支柱がパネル面から突き出しており、広い平坦なパネル面として利用することが難しい。
【０００６】
他方、本件考案者らは、間仕切りパネルの側部凹溝の底面と支柱とを磁石板で磁着する一方、支柱の上端開口に連結具の連結支柱を差し込み、連結具の差込みピンを間仕切りパネルの上側隅部の補強具のピン差込み穴に差し込んで支柱と間仕切りパネルとを連結するように構成し、組立て分解が簡単にできるとともに、高い強度を有していて、衝撃によって間仕切りパネルが不意に倒れることがなく、さらには広い平坦なパネル面として利用できるようにした構造を提案するに至った（特許文献２）。
【０００７】
しかし、特許文献２記載の間仕切りパネルではパネルの装飾やデザインをユーザの嗜好や展示会場の雰囲気などに応じて代えようとする場合、パネル自体を交換する必要があり、装飾やデザインの異なる複数枚のパネルを製造し準備し、展示会場まで輸送する必要があって、コスト高になるという問題があった。
【０００８】
そこで、本件考案者らは、矩形フレームと両側の薄型サイドパネルとから構成される間仕切りパネルにおいて、矩形フレームを左右の縦桟の上端の間及び下端の間を横桟で連結するとともに、左右の縦桟の中間を多段の横桟で連結して構成し、矩形フレームの縦桟、上下及び中間の横桟のパネル取付け面には取外し時にサイドパネルを破損しないような締着強さの得られる広幅の雌雄の面ファスナーの一方をサイドパネルの外形状に対応した形状に連続又は不連続に固着し、サイドパネルの裏面には雌雄の面ファスナーの他方をサイドパネル外形に沿って連結又は不連続に固着し、雌雄の面ファスナーを締着されることによってサイドパネルを矩形フレームの縦桟及び横桟のパネル取付け面に着脱可能に取付けるようにした間仕切りパネルを提案するに至った（特許文献３）。
【先行技術文献】
【特許文献】
【０００９】
【特許文献１】特開２００１−９０２３２号公報
【特許文献２】実用新案登録第３１５１０２２号公報
【特許文献３】特開２０１２−１３６８７０号公報
【考案の開示】
【考案が解決しようとする課題】
【００１０】
しかし、特許文献３記載の間仕切りパネルでは使用中に薄型サイドパネルが簡単に剥がれないように広幅の雌雄の面ファスナーを用いて矩形フレームに薄型サイドパネルを破損しないものの十分に大きな締着強さでもって着脱可能に取付けるようにしたので、薄型サイドパネルを組立て現場で交換しようとすると、薄型サイドパネルは破損しないものの、強く締着しているので、剥がすのが煩わしく、薄型サイドパネルの交換に時間がかかるという問題があった。
【００１１】
本考案はかかる問題点に鑑み、薄型サイドパネルを短時間で手軽に交換できるようにした間仕切りパネルを提供することを課題とする。
【課題を解決するための手段】
【００１２】
そこで、本考案に係る間仕切りパネルは、矩形フレームと両側の薄型サイドパネルとから構成される間仕切りパネルにおいて、上記矩形フレームは左右の縦桟の上端の間及び下端の間を上桟及び下桟で連結するとともに、上記左右の縦桟の中間部位を複数の横桟で多段に連結して構成され、該矩形フレームの縦桟、上桟及び下桟には縦桟、上桟及び下桟の幅でパネル取付け面が設けられており、該パネル取付け面の幅方向外縁には雌雄の面ファスナーの一方が連続又は不連続に固着されるとともに、上記薄型サイドパネルの裏面には上記矩形フレーム側の雌雄の面ファスナーの一方に対応する形状に雌雄の面ファスナーの他方が固着され、上記矩形フレーム及び上記薄型サイドパネルの雌雄の面ファスナーが相互に締着されることによって上記薄型サイドパネルが上記矩形フレームに着脱可能に取付けられ、上記矩形フレーム又は薄型サイドパネルの少なくとも一方の雌雄の面ファスナーは狭幅に設定されることによって、上記薄型サイドパネルは締着状態を維持し得る必要最小強さで上記矩形フレームに締着されていることを特徴とする。
【００１３】
本考案の特徴の１つは薄型サイドパネルを狭幅の雌雄の面ファスナーを用いて矩形フレームに締着することによって、矩形フレームと薄型サイドパネルとを締着状態に保持し得る必要最小強さで着脱可能に取付けるようにした点にある。
【００１４】
これにより、薄型サイドパネルを矩形フレームに取付けると、薄型サイドパネルは締着状態を維持し得る必要最小強さで矩形フレームに締着されるので、薄型サイドパネルが衝撃などによって矩形フレームから簡単に剥がれることはない。
【００１５】
また、薄型サイドパネルが衝撃などによって矩形フレームから簡単に剥がれることはないものの、特許文献３記載の間仕切りパネルに比較して小さな力で短時間で簡単に剥がすことができ、薄型サイドパネルを組立て現場で交換でき、交換に煩雑さを感じることもない。
【００１６】
さらに、薄型サイドパネル自体は間仕切りパネルに比較して厚みが薄く、軽量であり、装飾や色彩の異なる厚みの薄い軽量のサイドパネルを製造し準備すればよく、安価に製造でき、安価に輸送でき、大幅なコストダウンを図ることができる。
【００１７】
狭幅の面ファスナーは矩形フレームの縦桟、上桟及び下桟のパネル取付け面の幅の１／８〜１／４の横幅に設定されることができる。
【００１８】
また、矩形フレームは縦桟と横桟を矩形状に組み立てて釘やＬ形金具などで強固に固定したものであってもよいが、分解・組立可能に構成すると、間仕切りパネルの輸送時に分解し、コンパクトにして輸送することができ、輸送作業が簡単になり、輸送コストを更にコストダウンできる。即ち、縦桟と横桟とを着脱可能に連結することによって矩形フレームを縦桟、横桟及びサイドパネルに分解し組立てられるように構成するのがよい。
【００１９】
矩形フレームと薄型サイドパネルとを、矩形フレームの左右の縦桟が薄型サイドパネルの側縁から内方にずれた位置及び上側の横桟が上端縁から下方にずれた位置になるように取付けることによって、間仕切りパネルの左右の側面及び上端縁には凹溝を全長にわたって形成することができる。
【００２０】
また、隣接する間仕切りパネルを連結するための支柱を、凹溝を形成した前述の間仕切りパネルにおける凹溝内に嵌まり合う断面外形状となし、支柱の側面及び間仕切りパネルの側部凹溝の底面の一方には磁石板を固定し、他方には磁石板に磁着される磁石板又は金属板を固定するか、支柱を磁着可能な金属材料で製作するのがよい。
【図面の簡単な説明】
【００２１】
【図１】本考案に係る間仕切りパネルの好ましい実施形態における矩形フレーム（ａ）及び薄型サイドパネル（ｂ）を示す図である。を示す図である。
【図２】上記実施形態における矩形フレームに対する面ファスナーの取付け状態を示す図である。
【図３】上記実施形態における間仕切りパネルの組立て例を示す図である。
【図４】上記実施形態における間仕切りパネルの側面構造を示す図である。
【考案を実施するための形態】
【００２２】
以下、本考案を具体例に基づいて詳細に説明する。図１ないし図４は本考案に係る間仕切りパネルの好ましい実施形態を示す。間仕切りパネル１０は寸法的には高さ２７００ｍｍ×幅１０００ｍｍ、高さ２５００ｍｍ×幅１０００ｍｍ、高さ２４００ｍｍ×幅１０００ｍｍ、高さ２１００ｍｍ×幅９００ｍｍ、高さ１８００ｍｍ×幅９００ｍｍ、等があるが、これらより高くする必要がある場合には図１（ａ）に示されるように、矩形フレーム１０を所望の高さに製作するとともに、図１（ｂ）に示されるように不足分の高さの補助サイドパネル３０Ａを使用して薄型サイドパネル３０の必要な高さを確保する。
【００２３】
間仕切りパネル１０は矩形フレーム２０の両側を薄型サイドパネル（図１（ｂ）の補助パネル３０Ａを含む）３０で挟んで相互に着脱可能に取付けて構成され、薄型サイドパネル３０には表面を着色し、織布や装飾紙を貼り付けることによって装飾が施される。
【００２４】
矩形フレーム２０は図１（ａ）に示されるように左右の縦桟２１の上端の間及び下端の間を上桟２２及び下桟２３で連結するとともに、左右の縦桟２１の中間部位の間を上下に間隔をあけた複数の横桟２４で連結して製作されている。なお、強度が要求される場合には矩形フレーム２０の縦桟２１と上下の桟２２、２３及び横桟２４とにタッカー針を打ち込んで固定するようにしてもよい。
【００２５】
矩形フレーム２０の縦桟２１、上下の桟２２、２３及び横桟２４のパネル取付け面には薄型サイドパネル３０の取外し時に薄型サイドパネル３０を締着状態を保持しえる最小の締着強さとなるような幅に加工された雌雄の面ファスナー４０、４１の一方４０が接着剤や両面粘着テープなどによって固着されている。
【００２６】
他方、薄型サイドパネル３０の裏面には雌雄の面ファスナー４０、４１の他方４２が接着剤や両面粘着テープなどによって矩形フレーム２０の縦桟２１、上下の桟２２、２３及び横桟２６のパネル取付け面に対応する部位に狭幅の雌雄の面ファスナー４０、４１の一方４０に対応した形状に固着され、雌雄の面ファスナー４０、４１を締着させることによって薄型サイドパネル３０を締着状態を保持しえる最小の締着強さでもって締着されている。
【００２７】
また、矩形フレーム２０と薄型サイドパネル３０とは左右の縦桟２１が薄型サイドパネル３０の側端縁から内方にずれた位置及び矩形スレーム２０の上桟２２が上端縁から下方にずれた位置になるように取付けられることによって間仕切りパネル１０の左右の両側面及び上端縁には凹溝が全長にわたって形成されている。
【００２８】
この間仕切りパネル１０の上側凹溝内には断面凹溝状の補強金具８０が嵌め込まれ、ねじなどによって固定されている。
【００２９】
また、間仕切りパネル１０の両側辺の凹溝の底面には複数枚、例えば５枚の磁石板５０が上下方向に間隔をあけて固着されている一方、支柱７０には連続するように並べた２枚の間仕切りパネル１０の側縁の凹溝に嵌まり込む大きさの断面四角形状の金属パイプが用いられ、支柱７０の上端は開口されている。
【００３０】
間仕切りパネル１０と支柱７０とは連結金具６０によって連結される。この連結金具６０は連結板６１の中央に連結支柱６２を固定し、側方に差込みピン６３を固定して構成され、連結板は平面直線状、平面Ｌ字状、平面Ｔ字状又は平面十字状に形成されている。
【００３１】
間仕切りパネル１０を組立てる場合、矩形フレーム２０の縦桟２１、上下の桟２２、２３の外縁及び横桟２４に狭幅の雌雄の面ファスナー４０、４１のうちの一方４０を接着剤や両面粘着テープなどによって固着した矩形フレーム２０を準備するとともに、裏面に矩形フレーム２０の面ファスナー４０に対応する形状に雌雄の面ファスナー４０、４１のうちの他方４１を接着剤や両面粘着テープなどによって固着した薄型サイドパネル３０及び補助パネル３０Ａを準備する。
【００３２】
薄型サイドパネル３０を矩形フレーム２０に重ねて雌雄の面ファスナー４０、４１を相互る締着させると、間仕切りパネル１０を組立てることができる。このとき、矩形フレーム２０の縦桟２１の側端縁が薄型サイドパネル３０の側端縁から内方にずれた位置及び矩形フレーム２０の上桟２２の上端縁が薄型サイドパネル３０の補助パネル３０Ａの上端縁から下方にずれた位置にくるように寸法関係を設定することによって、間仕切りパネル１０の両側及び上部に凹溝を形成する。
【００３３】
薄型サイドパネル３０の装飾や色彩を変更する場合、ユーザの嗜好や展示会場の雰囲気に応じた装飾や色彩の薄型サイドパネル３０や補助パネル３０Ａを準備して交換すればよい。
【００３４】
例えば、間仕切りを組み立てる場合、３枚又は４枚の間仕切りパネル１０を並べ、隣接する間仕切りパネル１０の側縁凹溝内に支柱７０を嵌め込むと、間仕切りパネル１０の磁石板５０が支柱７０に強固に磁着し、３枚又は４枚の間仕切りパネル１０が仮連結される。このとき、磁石板７０の磁力が強いと、支柱５０に対する間仕切りパネル１０の上下位置を調整できるので、平坦でない床面上にも支柱５０及び間仕切りパネル１０を安定にかつ確実に立設することができる。
【００３５】
分解する場合は上記と逆の手順で作業を行えばよい。
【符号の説明】
【００３６】
１０      間仕切りパネル
２０      矩形パネル
３０      薄型サイドパネル
４０      面ファスナー
【図１】
0003226253.tif 000003
【図２】
0003226253.tif 000004
【図３】
0003226253.tif 000005
【図４】
0003226253.tif 000006